(57)【要約】【課題】比較的単純な形状で、洗浄がしやすく、洗浄後に積み重ねて保管された状態においても、上下のケージ本体の間に確実に通気路が確保されるため、経年により変形が生じていても、個別の取り出しが容易な実験動物飼育ケージ用の本体を提供する。【解決手段】ケージ用本体１は、上下に重ねられたときに、下方のものの外側フランジ４の上面に、上方のものの上部リブ６の下端縁６ｂが載り、上方のものの下部リブ７が下方のものの内側面と上方のものの外側面との間に介在することによって、両側面３間に隙間Ｇ１，Ｇ２が形成される。このため、側壁３間が密着することがなく、いつでも容易に個別に積層状体から取り出すことができる。【選択図】図５
0003170462.tif 000002
【実用新案登録請求の範囲】
【請求項１】
ほぼ矩形の底壁と、この底壁の四方を囲んで上広がりのテーパを持って起立し上縁部に外側フランジを有する側壁とを具備し、上方に開放した合成樹脂製の矩形箱状体からなり、
前記側壁の隅角部の外側面には、前記底壁の対角線に沿って外方へ突出して側壁の中間高さ位置まで上下方向に延びるように上下に連続する上部リブと下部リブとからなる外側リブが形成され、
前記上部リブは、外側端縁が前記フランジの外端縁付近から前記底壁に垂直に下方へ延び底壁と平行な下端縁で終結し、
前記下部リブは、前記上部リブの下端縁の内方端に連続し、前記側壁に沿って下方へ延び、側壁の中間高さ位置で終結するよう構成され、
上下に重ねられたときに、下方のものの前記外側フランジの上面に、上方のものの前記上部リブの下端縁が載り、上方のものの前記下部リブが下方のものの内側面と上方のものの外側面との間に介在することによって、両側面間に隙間が形成されることを特徴とする実験動物飼育ケージ用本体。
【考案の詳細な説明】
【技術分野】
【０００１】
この考案は、マウス、ラット、モルモット等の実験動物を飼育するための実験動物飼育ケージの本体に関するものである。
【背景技術】
【０００２】
実験動物飼育ケージとしては、上方開口部を有する箱状のケージ本体と、このケージ本体に、その開口部を覆うように係合される金網蓋とを具備するものが知られている。このうち、特許文献１に記載されるケージ本体は、上方に開放した合成樹脂製の矩形箱状体で、それの四方の側壁は下細りのテーパを持つ。ケージ本体は、上縁に係合段部を有し、相対向する前後側壁の外面には、係合段部の下面対応位置から側壁の中間高さ位置まで上下方向に延びる両側一対のリブが突設される。各リブの下端に係合凸部が形成される。各リブの上端部位に対応する係合段部の上面には、係合凹部が形成され、これに係合凸部が係合する。ケージ本体を複数段に積み重ねて、これらのケージ本体に対し高圧蒸気や、ホルマリン等のガスによる消毒、滅菌を施す際に、ケージ本体相互間に蒸気やガスを有効に流通させるための空間部を形成することができ、それによって各ケージ本体を、その内周壁面及び外周壁面の全面にわたって確実に消毒、滅菌することができる。また、上下のケージ本体を互いに所定の積み重ね位置に位置決めすることができて、各ケージ本体を安定に保持することができる。
【先行技術文献】
【特許文献】
【０００３】
【特許文献１】特開平９−２３８５８９号公報
【考案の概要】
【考案が解決しようとする課題】
【０００４】
上記従来のケージ本体においては、ケージ本体の上縁部に係合段部が設けられ、また各リブの上端部位に対応する係合段部上面に、係合凸部が係合する係合凹部が形成される。このため、ケージ本体の形状が比較的複雑で、汚染が生じやすく、洗浄しにくい。特に、係合凹部に汚れが入り込むと、洗浄によっても汚れを除去しにくいという問題点がある。また、経年により変形が生じると、係合凸部と係合凹部との係合が困難になることもある。
したがって、この出願に係る考案は、比較的単純な形状で、洗浄がしやすく、洗浄後に積み重ねて保管された状態においても、上下のケージ本体の間に確実に通気路が確保されるため、経年により変形が生じていても、個別の取り出しが容易な実験動物飼育ケージ用の本体を提供することを目的としている。
【課題を解決するための手段】
【０００５】
以下、添付図面の符号を参照して説明するが、本考案はこれに限定されるものではない。
上記課題を解決するための、この出願に係る考案の実験動物飼育ケージ用の本体１は、ほぼ矩形の底壁２と、この底壁２の四方を囲んで上広がりのテーパを持って起立する側壁３とを具備し、上方に開放した合成樹脂製の矩形箱状体からなる。側壁３は、上縁部に外側フランジ４を有する。側壁３の隅角部の外側面には、底壁２の対角線に沿って外方へ突出して側壁３の中間高さ位置まで上下方向に延びる外側リブ５が形成される。この外側リブ５は、上下に連続する上部リブ６と下部リブ７とを具備する。上部リブ６は、外側端縁６ａがフランジ４の外端縁付近から底壁２に垂直に下方へ延び、底壁２と平行な下端縁６ｂで終結する。下部リブ７は、上部リブ６の下端縁６ｂの内方端に連続し、側壁３に沿って下方へ延び側壁３の中間高さ位置で終結する。それにより、ケージ用本体１は、上下に重ねられたときに、下方のものの外側フランジ４の上面に、上方のものの上部リブ６の下端縁６ｂが載り、上方のものの下部リブ７が下方のものの内側面と上方のものの外側面との間に介在することによって、両側面３間に隙間Ｇ１，Ｇ２が形成される。
【考案の効果】
【０００６】
この出願に係る考案の実験動物飼育ケージ用の本体によれば、上下に積み重ねて保管された状態においても、上下のものの内外両側面間に隙間が形成されるから、上下のケージ本体の間に確実に通気路が確保されるため、経年により変形が生じていても、相互間の密着が回避され、個別の取り出しが容易である。また比較的単純な形状であるため、汚染が生じにくく、洗浄がしやすい利点がある。
【図面の簡単な説明】
【０００７】
【図１】本考案に係る実験動物飼育ケージ本体の斜視図である。
【図２】図１のケージ本体の積み重ね状態の斜視図である。
【図３】図１のケージ本体の正面図である。
【図４】図１のケージ本体の底面図である。
【図５】図１のケージ本体の積み重ね状態の隅角部の断面図である。
【考案を実施するための形態】
【０００８】
図面を参照してこの考案の実施の形態を説明する。
実験動物飼育ケージの本体１は、合成樹脂製で、上方に開放したの矩形箱状体からなる。すなわち、ケージ本体１は、ほぼ矩形の底壁２と、この底壁２の四方を囲む側壁３とを具備する。
【０００９】
側壁３は、上広がりのテーパを持って底壁２の周縁から起立し、上縁部に外側フランジ４を有する。
【００１０】
側壁３の隅角部の外側面には、底壁２の対角線に沿って外方へ突出する外側リブ５が形成される。外側リブ５は、上下に連続する上部リブ６と下部リブ７とを具備する。
【００１１】
上部リブ６は、外側端縁６ａがフランジ４の外端縁付近から底壁２に垂直に下方へ延び、底壁２と平行な下端縁６ｂで終結する。
【００１２】
下部リブ７は、上部リブ６の下端縁６ｂの内方端に連続し、外端縁が７ａが、そこから側壁３に沿って下方へ延び、側壁３の中間高さ位置で終結する。
【００１３】
図５に示すように、ケージ本体１は、上下に重ねられたときに、下方のものの外側フランジ４の上面に、上方のものの上部リブ６の下端縁６ｂが載るので、上下のケージ本体１の相互間に上下の隙間Ｇ１が形成される。下部リブ７が存在しなければ、上下のケージ本体１の水平方向の相互位置は同心上に定まらない。この結果、側壁３同士が接近し、それが経年による変形を伴うような場合には、密着して、引き離しが困難になる可能性がある。
【００１４】
しかし、この実施形態においては、上方のものの下部リブ７が、下方のものの側壁３の内側面と上方のものの側壁３の外側面との間に介在することによって、両側面間に水平方向の隙間Ｇ２が形成される。このため、側壁３同士が密着して、引き離しが困難になるおそれがない。外側フランジ４には、段部も係合凹部も形成されず、平滑であるから汚染物が付着しにくく、洗浄も容易である、また製作も容易である。
【符号の説明】
【００１５】
１    ケージ本体
２    底壁
３    側壁
４    外側フランジ
５    外側リブ
６    上部リブ
６ａ  外側端縁
６ｂ  下端縁
７    下部リブ
７ａ  外側端縁
Ｇ１  上下の隙間
Ｇ２  水平方向の隙間
【図１】
0003170462.tif 000003
【図２】
0003170462.tif 000004
【図３】
0003170462.tif 000005
【図４】
0003170462.tif 000006
【図５】
0003170462.tif 000007